(57)【特許請求の範囲】
【請求項１】
導電性を有するキャビティと、該キャビティ内に配置される一つの誘電体共振子とを含んで構成され、順次結合している少なくとも三つの共振モードを有する十字形状の誘電体共振器と、該十字形状の誘電体共振器に結合する入出力結合手段とを有する誘電体フィルタであって、
前記入出力結合手段のうち入力結合手段は、前記誘電体共振器の共振モードのうち、初段の共振モードに結合するとともに、初段に対して略逆位相でh段目（h＝2n＋1：nは自然数）における少なくとも一つの共振モードに結合させるために、前記入力結合手段にループを用い、かつ該ループを前記誘電体共振器の交差部の対角線から傾けたことを特徴とする誘電体フィルタ。
【請求項２】
導電性を有するキャビティと、該キャビティ内に配置される一つの誘電体共振子とを含んで構成され、順次結合している少なくとも三つの共振モードを有する十字形状の誘電体共振器と、該十字形状の誘電体共振器に結合する入出力結合手段とを有する誘電体フィルタであって、
前記入出力結合手段のうち出力結合手段は、前記誘電体共振器の共振モードのうち、最終段の共振モードに結合するとともに、最終段に対して略逆位相で最終段をk段目とした場合の（k−2n）段目（nは自然数）における少なくとも一つの共振モードに結合させるために、前記出力結合手段にループを用い、かつ該ループを前記誘電体共振器の交差部の対角線から傾けたことを特徴とする誘電体フィルタ。
【請求項３】
前記入出力結合手段が導電性を有するループであって、前記入出力結合手段が結合する前記誘電体共振器の共振モードに対して略逆位相で結合するような方向に、前記入出力結合手段を配置することを特徴とする請求項1または2記載の誘電体フィルタ。
【請求項４】
少なくとも二つの誘電体フィルタと、該誘電体フィルタのそれぞれに接続される入出力結合手段と、前記誘電体フィルタに共通的に接続されるアンテナ接続用手段とを含んでなる誘電体デュプレクサであって、
前記誘電体フィルタの少なくとも一つが請求項1、2または3記載の誘電体フィルタであることを特徴とする誘電体デュプレクサ。
【請求項５】
請求項4記載の誘電体デュプレクサと、該誘電体デュプレクサの少なくとも一つの入出力結合手段に接続される送信用回路と、該送信用回路に接続される前記入出力結合手段と異なる少なくとも一つの入出力結合手段に接続される受信用回路と、前記誘電体デュプレクサのアンテナ接続用手段に接続されるアンテナとを含んでなることを特徴とする通信機装置。
【発明の詳細な説明】
【０００１】
【発明の属する技術分野】
本発明は、マイクロ波帯通信機器の通信基地局で使用される誘電体フィルタ、誘電体デュプレクサ、通信機装置に関する。
【０００２】
【従来の技術】
従来の誘電体フィルタにおける第一の例を、図９に基づいて説明する。なお、図９は第一の従来例における誘電体フィルタの分解斜視図である。
図９に示すように従来の誘電体フィルタ１１０は、並置された二つの誘電体共振器１２０ａ、１２０ｂと、金属パネル１１１ａ、１１１ｂとから構成され、金属パネル１１１ａ、１１１ｂは誘電体共振器１２０ａ、１２０ｂの開口部を覆うように取り付けられている。誘電体共振器１２０ａ、１２０ｂは誘電体セラミックからなる角筒状のキャビティ１２１と、キャビティ１２１内に配置された誘電体共振子１２２とから構成され、キャビティ１２１の外側面には銀ペーストの塗布・焼成により導電層１２３が形成されている。誘電体共振子１２２は、二つの誘電体柱が交差した十字形状を有しており、キャビティ１２１と十字形状の誘電体共振子１２２とは誘電体セラミックにより一体成形されている。金属パネル１１１ａには金属板からなるループ１１２ａ、１１２ｂが取り付けられており、その一端は金属パネル１１１ａに取り付けられた同軸コネクタ１１３ａ、１１３ｂの中心導体に接続されており、他端は金属パネル１１１ａに接続されて接地されている。また、他方の金属パネル１１１ｂには二つの誘電体共振器１２０ａ、１２０ｂ間を結合させる結合用ループ１１２ｃが取り付けられている。
【０００３】
このような構成を有する誘電体フィルタ１１０においては、外部より信号が入力されると金属板からなるループ１１２ａの周囲に磁界が発生し、その磁界が誘電体共振子１２２の一方の誘電体柱周囲の磁界と結合する。そして、十字形状をした誘電体共振子１２２の交差部に形成された溝１２５により、一方の誘電体柱の電磁界と直交する他方の誘電体柱との電磁界とが結合し、さらに他方の誘電体柱と結合用ループ１１２ｃとが結合する。並置されたもう一方の誘電体共振器１２０ｂにおいても同様の動作が起き、誘電体フィルタ１１０は四段の帯域通過フィルタとして機能している。
【０００４】
なお、図９に示すように従来の誘電体フィルタ１１０におけるループ１１２ａは、一方の誘電体柱と同一方向に延びる第一の部分１１２ａ１と、それと直交する方向に延びる第二の部分１１２ａ２とから構成されている（他方のループ１１２ｂにおいても同様の構造、機能を有するが、ここでは説明を省略する）。すなわち、ループ１１２ａの第一の部分１１２ａ１は誘電体共振子１２２の同一方向に延びる一方の誘電体柱に結合し、同時にループ１１２ａの第二の部分１１２ａ２で誘電体共振子１２２の他方の誘電体柱に結合している。このように入出力結合手段としてのループ１１２ａを誘電体共振器の初段と二段目の共振モードに同時に結合させることにより、共振周波数の低域側または高域側に減衰極を設けることができる。
【０００５】
一般に共振周波数より低い周波数の信号は共振器を通過しても位相が変化しないが、共振周波数より高い周波数の信号は共振器を通過すると位相がπ変化する。例えば、ループ１１２ａの第一の部分１１２ａ１により同相で一方の誘電体柱に発生する共振モードに結合させ、ループ１１２ａの第二の部分１１２ａ２により同相で他方の誘電体柱に発生する共振モードに結合させた場合、ループ１１２ａの第一の部分１１２ａ１の結合によるルートの信号とループ１１２ａの第二の部分１１２ａ２の結合によるルートの信号とは、共振周波数よりも低い周波数では同相となり、共振周波数よりも高い周波数では逆相となる。したがって、信号が打ち消し合うことにより共振周波数の高域側で減衰極が発生する。逆に、ループ１１２ａの第二の部分１１２ａ２の延びる方向を１８０°反対方向とすることにより、ループ１１２ａの第一の部分１１２ａ１により同相で一方の誘電体柱に発生する共振モードに結合させ、ループ１１２ａの第二の部分１１２ａ２により逆相で他方の誘電体柱に発生する共振モードに結合させた場合、同様にして共振周波数の低域側で減衰極が発生する。
【０００６】
次に、従来の誘電体フィルタにおける第二の例を、図１０に基づいて説明する。なお、図１０は第二の従来例における誘電体フィルタの分解射視図である。また、先の従来例と同一部には同符号を付し、誘電体フィルタを構成する誘電体共振器のみを図示して説明する。
図１０に示すように従来の誘電体共振器１２０ｃにおいては、十字形状の誘電体共振子１２２とキャビティ１２１との四つの接合部分で、キャビティ１２１の外側から内側に向かって凹部１２４を設けている。これにより誘電体共振器１２０ｃは、図２の電界分布図に示すように三つの共振モード、すなわちＴＭ１１０モード、ＴＭ１１１モード、ＴＭ１１０モードを有し、誘電体フィルタは三段の帯域通過フィルタとして機能している。
【０００７】
【発明が解決しようとする課題】
通信基地局などに使用される誘電体フィルタにおいては、通過帯域外に多数のスプリアスが発生するので、それらを抑制するためには通過帯域の低域側および高域側に減衰極を設ける必要がある。しかしながら、第一の従来例における誘電体フィルタでは、二つの共振モードを有する誘電体共振器とそれら二つの共振モードに同時に結合する入出力結合手段としてのループとでは、低域側または高域側のどちらか一方にしか減衰極を設けることができない。したがって、低域側と高域側両方に減衰極を設けるためには、もう一つ誘電体共振器を並置して、そちら側で他方の減衰極を設ける必要があった。すなわち、第一の従来例においては低域側および高域側に減衰極を設けるために、必ず二つの誘電体共振器が必要となり誘電体フィルタが大型化するという問題があった。
【０００８】
また、第二の従来例における誘電体フィルタに関しては、共振周波数帯域の低域側および高域側に減衰極を設ける手段は示されてこなかった。
【０００９】
本発明の誘電体フィルタ、誘電体デュプレクサ、通信機装置は、上述の問題を鑑みてなされたものであり、これらの問題を解決し、共振周波数の低域側および高域側に減衰極を設け、かつ小型化可能な誘電体フィルタ、誘電体デュプレクサ、通信機装置を提供することを目的としている。
【００１０】
【課題を解決するための手段】
上記目的を達成するため本発明の誘電体フィルタは、導電性を有するキャビティと、該キャビティ内に配置される一つの誘電体共振子とを含んで構成され、順次結合している少なくとも三つの共振モードを有する十字形状の誘電体共振器と、該十字形状の誘電体共振器に結合する入出力結合手段とを有する誘電体フィルタであって、前記入出力結合手段のうち入力結合手段は、前記誘電体共振器の共振モードのうち、初段の共振モードに結合するとともに、初段に対して略逆位相でh段目（h＝2n＋1：nは自然数）における少なくとも一つの共振モードに結合させるために、前記入力結合手段にループを用い、かつ該ループを前記誘電体共振器の交差部の対角線から傾けたことを特徴とする。
【００１１】
共振周波数よりも低い周波数の信号は共振器を通過しても位相は変わらず、共振周波数よりも高い周波数の信号は共振器を通過すると位相はπ変化する。したがって、順序通り初段、二段目、三段目・・・というルートを通る場合、ｈ段目においては偶数個の共振器を通過したことになるので、ｈ段目の共振モードにおける信号の位相は共振周波数よりも低い周波数の信号も共振周波数よりも高い周波数の信号も初段の結合位置と同相となる。一方、もう一つのルートすなわち入出力結合手段から直接ｈ段目の共振モードに結合することによるルートは、初段の共振モードに結合するときの位相と逆相で結合させている。つまり、本発明の誘電体フィルタによれば、ｈ段目において共振周波数の低域側および高域側の信号が逆相となって、一つの誘電体共振器で共振周波数の低域側および高域側に減衰極を設けることが可能となる。
【００１２】
また、請求項2に係る誘電体フィルタは、導電性を有するキャビティと、該キャビティ内に配置される一つの誘電体共振子とを含んで構成され、順次結合している少なくとも三つの共振モードを有する十字形状の誘電体共振器と、該十字形状の誘電体共振器に結合する入出力結合手段とを有する誘電体フィルタであって、前記入出力結合手段のうち出力結合手段は、前記誘電体共振器の共振モードのうち、最終段の共振モードに結合するとともに、最終段に対して略逆位相で最終段をk段目とした場合の（k−2n）段目（nは自然数）における少なくとも一つの共振モードに結合させるために、前記出力結合手段にループを用い、かつ該ループを前記誘電体共振器の交差部の対角線から傾けたことを特徴とする。
【００１３】
この場合も先の作用と同様の作用により、最終段において共振周波数の低域側および高域側の信号が逆相となって、一つの誘電体共振器で共振周波数の低域側および高域側に減衰極を設けることが可能となる。したがって、請求項１、２記載の誘電体フィルタを組み合わせることにより、共振周波数の低域側および高域側にそれぞれ二つ以上の減衰極を設けることも可能となる。
【００１４】
さらに本発明に係る誘電体フィルタは、前記入力結合手段および前記出力結合手段は導電性を有するループであって、前記入力結合手段は、初段の共振モードに結合するとともに、初段に対して略逆位相でｈ段目（ｈ＝２ｎ＋１：ｎは自然数）における少なくとも一つの共振モードに結合するような方向に配置され、前記出力結合手段は、最終段の共振モードに結合するとともに、最終段に対して略逆位相で最終段をｋ段目とした場合の（ｋ−２ｎ）段目（ｎは自然数）における少なくとも一つの共振モードに結合するような方向に配置されている。
これにより、ループの配置方向を変化させるだけで、初段とｈ段目の共振モード、あるいは最終段と（ｋ−２ｎ）段目の共振モードにそれぞれ逆相で結合させることが可能となる。
【００１５】
さらにまた、本発明の誘電体デュプレクサは、少なくとも二つの誘電体フィルタと、該誘電体フィルタのそれぞれに接続される入出力結合手段と、前記誘電体フィルタに共通的に接続されるアンテナ接続用手段とを含んでなる誘電体デュプレクサであって、前記誘電体フィルタの少なくとも一つが請求項１、２または３記載の誘電体フィルタである。
【００１６】
さらにまた、本発明の通信機装置は、請求項５記載の誘電体デュプレクサと、該誘電体デュプレクサの少なくとも一つの入出力結合手段に接続される送信用回路と、該送信用回路に接続される前記入出力結合手段と異なる少なくとも一つの入出力結合手段に接続される受信用回路と、前記誘電体デュプレクサのアンテナ接続用手段に接続されるアンテナとを含んでなる。
これらにより、帯域の低域側および高域側に減衰極が設けられ、特性の良好な誘電体デュプレクサ、通信機装置が得られる。
【００１７】
【発明の実施の形態】
以下、本発明の実施例である誘電体フィルタを、図１に基づいて説明する。なお、図１は本実施例の誘電体フィルタの分解射視図である。
図１に示すように本実施例の誘電体フィルタ１０は、誘電体共振器２０と、誘電体共振器２０の開口部を覆うように取り付けられる金属パネル１１ａ、１１ｂとから構成されている。誘電体共振器２０は角筒状のキャビティ２１と、キャビティ２１内に配置された十字形状の誘電体共振子２２とからなり、キャビティ２１の外周面には銀の塗布・焼成により導電層２３が形成されている。また、十字形状の誘電体共振子２２とキャビティ２１との四つの接合部分で、キャビティ２１の外側から内側に向かって凹部２４を設けている。これにより誘電体フィルタ１０は、図２の電界分布図に示すように三つの共振モード、すなわち初段の共振モードとしてのＴＭ１１０モード、二段目の共振モードとしてのＴＭ１１１モード、三段目の共振モードとしてのＴＭ１１０モードを有する三段の誘電体フィルタとして機能している。そして、初段のＴＭ１１０モードと三段目のＴＭ１１０モードとは直交している。
【００１８】
金属パネル１１ａ、１１ｂには金属板からなるループ１２ａ、１２ｂが取り付けられており、ループ１２ａ、１２ｂの一端は金属パネル１１ａ、１１ｂに取り付けられた同軸コネクタ１３ａ、１３ｂの中心導体に接続されている。また、ループ１２ａ、１２ｂの他端は金属パネル１１ａ、１１ｂに接続されて接地されている。本来、入出力結合手段としてのループ１２ａは図３の平面図に示すように、初段の共振モードと結合するように初段の共振モードの電界方向と同一方向（キャビティ２１の底面を０°とした場合の４５°の方向）に配置され、それによりループ１２ａと初段の共振モードとが磁界結合する。しかしながら、本実施例におけるループ１２ａは図４の平面図に示すように（なお、図４においては初段と三段目の共振モードとを重ね合わせて図示し、初段を実線で三段目を破線で示している。）、初段の共振モードの電界方向からキャビティ２１底面の方へ傾いている（すなわち４５°以下）。このような方向にループ１２ａを配置することにより、ループ１２ａは初段の共振モードと、それと直交する三段目の共振モード両方に結合するようになる。しかも、初段と三段目とではループ１２ａの周囲をまわる磁界の周回方向が逆となるので、誘起される電流のベクトルも逆方向となって、初段と三段目とでは逆相で結合することとなる。
【００１９】
なお、ループ１２ａの取り付け角度を変更することにより、ループ１２ａと初段の共振モードとの結合の度合い、ループ１２ａと三段目の共振モードとの結合の度合いを調整することができる。つまり、ループ１２ａの方向が初段の共振モードにおける電界方向と近い程、初段との結合度が強まり、初段の共振モードにおける電界方向と離れる程、三段目の共振モードとの結合が強まっていく。さらに、ループ１２ａの幅や長さを長くしたり、ループ１２ａを誘電体共振子２２に近づけるなどにより、初段および三段目両方の共振モードとの結合を強めることもできる。
【００２０】
また、誘電体共振器２０の三つの共振モードは、十字形状をした誘電体共振子２２の交差部に溝２５を設けたり、交差部にここでは図示しない孔を所定の位置に形成することにより、初段の共振モード、二段目の共振モード、三段目の共振モードとが順次結合される。
【００２１】
このような構成により、入力された信号は一方で初段、二段目、三段目と通過し、他方で入出力結合手段としてのループ１２ａから直接三段目の共振モードに、初段との結合とは逆相で結合する。一方のルートを通過した信号は二つの共振器を通過したことになるので、三段目の位置における位相は共振周波数よりも低い周波数では初期の位相と同相であり、共振周波数よりも高い周波数では初期の位相とπ×２だけ変化、つまり同相となる。他方のルートを通過した信号について、三段目の位置における位相は、初段の位相とは逆相で結合させているので共振周波数よりも低い周波数、高い周波数両方で初期の位相と逆相となる。すなわち、三段目において共振周波数の低域側と高域側両方の信号が逆相で打ち消し合うことになり、共振周波数の低域側および高域側で減衰極が発生する。
【００２２】
このようにして、入力された信号は三段目の共振モードの電界方向と同一方向に他方の金属パネル１１ｂに取り付けられたループ１２ｂに結合し、他方の同軸コネクタ１３ｂを介して出力され、誘電体フィルタ２０は三段の帯域通過フィルタとして機能している。
【００２３】
本実施例によれば、三つの共振モードを有する一つの誘電体共振器２０のみで共振周波数の低域側および高域側に減衰極を設けることが可能となり、小型で要求される特性を満たす誘電体フィルタが得られる。
【００２４】
なお、本実施例における入出力結合手段としてのループ１２ａは、一方向に延びた金属板から形成されているが、本発明はこれに限られるものではない。すなわち、図５に示すようにループ１２ａを一方向に延びる第一の部分１２ａ１と、第一の部分１２ａ１が延びる方向と直交する方向に延びる第二の部分１２ａ２とから構成して、初段と三段目に結合させてもよい。また、図６に示すようにループ１２ａに金属細片１４を取り付けて、その金属細片１４の位置または傾きによって結合度の調整を行ってもよい。
【００２５】
次に、本発明の実施例である誘電体デュプレクサを、図７に基づいて説明する。なお、図７は本実施例の誘電体デュプレクサの分解射視図であり、先の実施例と同一部には同符号を付し、その部分についての説明は省略する。
図７に示すように本実施例の誘電体デュプレクサ３０は、二つの誘電体共振器２０ａ、２０ｂからなる送信用フィルタ１０ａと、二つの誘電体共振器２０ｃ、２０ｄからなる受信用フィルタ１０ｂとから構成されている。さらに、送信用フィルタ１０ａ、受信用フィルタ１０ｂにはそれぞれ帯域阻止フィルタ３５ａ、３５ｂが接続されている。送信用フィルタ１０ａに用いられる所定の共振周波数を有する二つの誘電体共振器２０ａ、２０ｂと、受信用フィルタ１０ｂに用いられる送信用フィルタ１０ａの共振周波数とは異なる共振周波数を有する二つの誘電体共振器２０ｃ、２０ｄとは、キャビティ２１開口部を同一方向に向けて並置されている。そして、誘電体共振器２０ａ〜２０ｄのキャビティ２１開口部にはそれぞれ金属パネル１１ｃ、１１ｄが取り付けられ、金属パネル１１ｃには外部の送信用回路、受信用回路に接続するための同軸コネクタ１３ｃ、１３ｆと、アンテナに接続するための同軸コネクタ１３ｉがそれぞれ取り付けられている。
【００２６】
また、誘電体基板３６上に形成されたマイクロストリップライン３７により帯域阻止フィルタ３５ａ、３５ｂが形成され、シールドケース３８内に配置し、並置された誘電体共振器２０ａ、２０ｄ両端部に取り付けられている。そして、マイクロストリップライン３７の一端は送信用回路に接続するための同軸コネクタ１３ｃの中心導体と、受信用回路に接続するための同軸コネクタ１３ｆの中心導体とにそれぞれ接続されている。なお、さらに誘電体デュプレクサ３０は誘電体共振器２０ａ〜２０ｄ部分など補強するための、ここでは図示しない金属ケースに収納されている。
【００２７】
送信用フィルタ１０ａを構成する二つの誘電体共振器２０ａ、２０ｂは、それぞれ三つの共振モードを有する共振器であり、合計六段の帯域通過フィルタとして機能し、受信用フィルタ１０ｂを構成する二つの誘電体共振器２０ｃ、２０ｄも同様に六段の帯域通過フィルタとして機能する。一方の金属パネル１１ｃには送信用フィルタ１０ａの初段と三段目の共振モードに結合するループ１２ｃと、四段目と最終段の共振モードに結合するループ１２ｄが取り付けられている。同様に、受信用フィルタ１０ｂの初段と三段目の共振モードに結合するループ１２ｆと、四段目と最終段の共振モードに結合するループ１２ｇが取り付けられている。また、他方の金属パネル１１ｄには送信用フィルタ１０ａの三段目の共振モードに結合し、さらに四段目の共振モードに結合する結合用ループ１２ｅが取り付けられている。同様に、受信用フィルタ１０ｂの三段目の共振モードに結合し、さらに四段目の共振モードに結合する結合用ループ１２ｈが取り付けられている。
【００２８】
送信用フィルタ１０ａの初段と三段目の共振モードに結合するループ１２ｃの一端は帯域阻止フィルタのマイクロストリップライン３７の一端に接続され、同様に受信用フィルタ１０ｂの四段目と最終段の共振モードに結合するループ１２ｇの一端も帯域阻止フィルタのマイクロストリップライン３７の一端に接続されている。また、送信用フィルタ１０ａの四段目と最終段の共振モードに結合するループ１２ｄと、受信用フィルタ１０ｂの初段と最終段の共振モードに結合するループ１２ｆとは、アンテナに接続するための同軸コネクタ１３ｉの中心導体に共通に接続されている。
【００２９】
このような構成により、二つの誘電体共振器２０ａ、２０ｂから構成される送信用フィルタ１０ａは、所定の周波数を通過させる帯域通過フィルタとして機能し、さらに通過帯域の低域側および高域側両方にそれぞれ二つの減衰極が発生する。同様に、二つの誘電体共振器２０ｃ、２０ｄから構成される受信用フィルタ１０ｂは、先の周波数とは異なる所定の周波数を通過させる帯域通過フィルタとして機能し、さらに通過帯域の低域側および高域側両方にそれぞれ二つの減衰極が発生する。
【００３０】
なお、本実施例においては一方の金属パネル１１ｃに取り付けられたループ１２ｃ、１２ｄ、１２ｆ、１２ｇを、取り付け角度を調整することなどにより、本発明で言うところの二つの共振モードに結合させる入出力結合手段として用いた。しかしながら、本実施例における他方の金属パネル１１ｄに取り付けられた結合用ループ１２ｅ、１２ｈを、取り付け角度を調整することなどにより、本発明で言うところの二つの共振モードに結合させる入出力結合手段として用いても構わない。また、本出願人が特願平１０−２２０３７１号や特願平１０−２２０３７２号において提案している多重モード誘電体フィルタ、例えばＴＭモード、ＴＥモードそれぞれ三つの共振モードを有する六重モードフィルタに適用することも可能である。
【００３１】
さらに、本発明の実施例である通信機装置を、図８に基づいて説明する。なお、図８は本実施例の通信機装置の概略図である。
図８に示すように本実施例の通信機装置４０は、誘電体デュプレクサ３０と、送信用回路４１と、受信用回路４２と、アンテナ４３から構成される。ここで誘電体デュプレクサ３０は先の実施例で示したものであり、図７における送信用フィルタ１０ａと接続される同軸コネクタ１３ｃが、送信用回路４１に接続されており、受信用フィルタ１０ｂと接続される同軸コネクタ１３ｆが、受信用回路４２に接続されている。また、同軸コネクタ１３ｉはアンテナ４３に接続されている。
【００３２】
【発明の効果】
以上のように本発明によれば、少なくとも三つの共振モードを有する誘電体共振器と入出力結合手段とから構成される誘電体フィルタにおいて、入力結合手段を初段と初段を除く奇数段とにそれぞれ逆相で結合させた。または、出力結合手段を最終段側からみて奇数段とにそれぞれ逆相で結合させた。これにより、二つの誘電体共振器を用いることなく、共振周波数の低域側および広域側両方に減衰極を設けることが可能になり、大型化することなく所望の特性を有する誘電体フィルタが得られる。
【図面の簡単な説明】
【図１】本発明の誘電体フィルタの分解射視図である。
【図２】誘電体共振器の三つの共振モードを示す平面図である。
【図３】本来の誘電体フィルタにおけるループの取り付け位置を示す平面図である。
【図４】本発明の誘電体フィルタにおけるループの取り付け位置を示す平面図である。
【図５】本発明の誘電体フィルタにおける他のループの構成を示す分解射視図である。
【図６】本発明の誘電体フィルタにおける他のループの構成を示す分解射視図である。
【図７】本発明の誘電体デュプレクサの分解射視図である。
【図８】本発明の通信機装置の概略図である。
【図９】従来の誘電体フィルタの分解射視図である。
【図１０】従来の他の誘電体共振器の射視図である。
【符号の説明】
１０，１０ａ，１０ｂ          誘電体フィルタ
１１ａ〜１１ｄ            金属パネル
１２ａ〜１２ｈ            ループ
１３ａ，１３ｂ，１３ｃ，１３ｆ，１３Ｉ  同軸コネクタ
２０，２０ａ〜２０ｄ        誘電体共振器
２１                  キャビティ
２２                  誘電体共振子
２３                  導電層
２４                  凹部
２５                  溝
３０                  誘電体デュプレクサ
３５ａ，３５ｂ            帯域阻止フィルタ
３６                  誘電体基板
３７                  マイクロストリップライン
３８                  シールドケース
４０                  通信機装置
【図１】
0003580162.tif 000002
【図２】
0003580162.tif 000003
【図３】
0003580162.tif 000004
【図４】
0003580162.tif 000005
【図５】
0003580162.tif 000006
【図６】
0003580162.tif 000007
【図７】
0003580162.tif 000008
【図８】
0003580162.tif 000009
【図９】
0003580162.tif 000010
【図１０】
0003580162.tif 000011